(57)【要約】【課題】電子カメラによる撮影をお願いした際に、被写体人物が電子カメラによる撮影の失敗を容易に確認できる電子カメラを提供する。【解決手段】撮影成功時には、カメラのモニタ２０に撮影画像（フリーズ画ＦＩ）が設定時間Ｔ１（例えば約１秒）だけ表示される（同図（ａ））。一方、撮影失敗時には、カメラのモニタ２０に撮影画像（フリーズ画ＦＩ）が設定時間Ｔ１よりも長い設定時間Ｔ２（＞Ｔ１）に亘り表示される（同図（ｂ））。【選択図】図７
2011151614.tif 000002
【特許請求の範囲】
【請求項１】
被写体を撮影する撮像手段と、
撮影直後に撮影済みの撮影画像に基づく確認画像を表示する表示手段と、
前記確認画像の表示時間を制御し、第１のモードでは前記確認画像を第１の表示時間で前記表示手段に表示させ、第２のモードでは前記確認画像を前記第１の表示時間よりも長い第２の表示時間で前記表示手段に表示させる表示制御手段と、
を備えたことを特徴とする電子カメラ。
【請求項２】
請求項１に記載の電子カメラにおいて、
前記撮影画像を評価する評価手段と、
前記表示制御手段は、前記評価手段が撮影成功と評価すると、第２のモードであっても第２の表示時間よりも短い第３の表示時間で前記確認画像を前記表示手段に表示させることを特徴とする電子カメラ。
【請求項３】
請求項２に記載の電子カメラにおいて、
カメラ本体における撮影レンズ側に設けられた点灯手段と、
前記評価手段が撮影失敗と評価すると、前記点灯手段を点灯させる点灯制御手段と、
を更に備えたことを特徴とする電子カメラ。
【請求項４】
請求項１乃至３のうちいずれか一項に記載の電子カメラにおいて、
前記表示制御手段に前記確認画像の表示を終了させる指示を与える操作手段を更に備え、
前記表示制御手段は、前記第２の表示時間で前記確認画像を表示している最中に前記操作手段から前記指示が与えられると、前記確認画像の表示を終了させることを特徴とする電子カメラ。
【請求項５】
請求項２乃至４のいずれか一項に記載の電子カメラにおいて、
前記第２のモードで撮影された際に前記評価手段が撮影成功と評価すると、該第２のモードから第１のモードへ切り換えるモード管理手段を更に備えたことを特徴とする電子カメラ。
【請求項６】
被写体を撮影する撮像手段と、
撮影直後に撮影済みの撮影画像に基づく確認画像を表示する表示手段と、
前記撮影画像を評価する評価手段と、
カメラ本体における撮影レンズ側に設けられた点灯手段と、
前記評価手段が撮影失敗と評価すると、前記点灯手段を点灯させる点灯制御手段と、
を備えたことを特徴とする電子カメラ。
【請求項７】
請求項６に記載の電子カメラにおいて、
前記点灯制御手段は、第１のモードでは前記評価手段の評価結果に拘わらず前記点灯手段を点灯させず、第２のモードでは前記評価手段が撮影失敗と評価すると、前記点灯手段を点灯させることを特徴とする電子カメラ。
【発明の詳細な説明】
【技術分野】
【０００１】
本発明は、撮影した画像を評価する評価機能を備えた電子カメラに関する。
【背景技術】
【０００２】
近年、デジタルカメラやビデオカメラなどの電子カメラが、観光地などでの撮影に使用されている。観光地などでは、第３者に撮影をお願いする場合があるが、その撮影を依頼された第３者はその電子カメラの操作に詳しい訳ではないので、余計を操作や間違った操作を行ってしまい、撮影が失敗するケースが起こりうる。
【０００３】
例えば特許文献１には、レリーズスイッチを含む所定の操作スイッチ以外の操作入力を受付けない動作モードを有する撮影装置が開示されている。この撮影装置であれば、余計な操作を行っても受付けられないので、撮影が成功する確率が高くなる。
【０００４】
また、特許文献２には、撮影依頼モードが設定された場合、レリーズスイッチの全押し（又は半押し）に応動してＡＥ動作及びＡＦ動作を即座に実施し（フルオートモード）、かつ絞りを即座に駆動して（クイックショットモード）、焦点・絞りの即時の調整が完了すると、直ちにシャッタ動作を行う撮影装置が開示されている。
【先行技術文献】
【特許文献】
【０００５】
【特許文献１】特開２００４−２７１５７０号公報
【特許文献２】特開２００７−３０６４１８号公報
【発明の概要】
【発明が解決しようとする課題】
【０００６】
ところで、特許文献１及び２の撮影装置では、誤った操作を防止したり、撮影時の調整を自動で行うものの、撮影を失敗してしまうことは起こりうる。例えば、頭切れ、目つぶり、笑顔でない、構図ミス、ブレなどのＮＧ撮影は、撮影装置を用いて撮影を行う撮影者による撮影時（レリーズ時等）のカメラ操作やシャッタータイミングなどに依存するので、スイッチ操作防止機能（特許文献１）や撮影条件自動調整（特許文献２）が可能な電子カメラを用いても回避できないという問題があった。
【０００７】
本発明は上記問題点に鑑みてなされたものであって、その目的は、電子カメラによる撮影をお願いした場合に、そのお願いをした被撮影者が電子カメラによる撮影の失敗を容易に確認することができる電子カメラを提供することにある。
【課題を解決するための手段】
【０００８】
上記問題点を解決するために、本発明は、電子カメラであって、被写体を撮影する撮像手段と、撮影直後に撮影済みの撮影画像に基づく確認画像を表示する表示手段と、前記確認画像の表示時間を制御し、第１のモードでは前記確認画像を第１の表示時間で前記表示手段に表示させ、第２のモードでは前記確認画像を前記第１の表示時間よりも長い第２の表示時間で前記表示手段に表示させる表示制御手段と、を備えたことを要旨とする。
【０００９】
本発明の電子カメラにおいて、前記撮影画像を評価する評価手段と、前記表示制御手段は、前記評価手段が撮影成功と評価すると、第２のモードであっても第２の表示時間よりも短い第３の表示時間で前記確認画像を前記表示手段に表示させることが好ましい。
【００１０】
本発明の電子カメラにおいて、カメラ本体における撮影レンズ側に設けられた点灯手段と、前記評価手段が撮影失敗と評価すると、前記点灯手段を点灯させる点灯制御手段と、を更に備えていることが好ましい。
【００１１】
本発明の電子カメラにおいて、前記表示制御手段に前記確認画像の表示を終了させる指示を与える操作手段を更に備え、前記表示制御手段は、前記第２の表示時間で前記確認画像を表示している最中に前記操作手段から前記指示が与えられると、前記確認画像の表示を終了させることが好ましい。
【００１２】
本発明の電子カメラにおいて、前記第２のモードで撮影された際に前記評価手段が撮影成功と評価すると、該第２のモードから第１のモードへ切り替えるモード管理手段を更に備えていることが好ましい。
【００１３】
本発明の電子カメラにおいて、被写体を撮影する撮像手段と、撮影直後に撮影済みの撮影画像に基づく確認画像を表示する表示手段と、前記撮影画像を評価する評価手段と、カメラ本体における撮影レンズ側に設けられた点灯手段と、前記評価手段が撮影失敗と評価すると、前記点灯手段を点灯させる点灯制御手段と、を備えていることが好ましい。
【００１４】
本発明の電子カメラにおいて、前記点灯制御手段は、第１のモードでは前記評価手段の評価結果に拘わらず前記点灯手段を点灯させず、第２のモードでは前記評価手段が撮影失敗と評価すると、前記点灯手段を点灯させることが好ましい。
【発明の効果】
【００１５】
本発明によれば、電子カメラによる撮影をお願いした際に、被写体人物が電子カメラによる撮影の失敗を容易に確認できる、という優れた効果が得られる。
【図面の簡単な説明】
【００１６】
【図１】電子カメラの斜視図。
【図２】電子カメラの背面図。
【図３】電子カメラの電気的構成を示すブロック図。
【図４】電子カメラ内のエンジンの機能構成を示すブロック図。
【図５】（ａ）撮影成功時、（ｂ）撮影失敗時の点灯動作を説明する模式図。
【図６】人位置評価方法の一例を示す画像の模式図。
【図７】（ａ）撮影成功時、（ｂ）撮影失敗時のフリーズ画を示す模式図。
【図８】撮影処理の一部を示すフローチャート。
【図９】撮影処理の残りの一部を示すフローチャート。
【図１０】撮影画像評価処理を示すフローチャート。
【発明を実施するための形態】
【００１７】
以下、本発明を電子カメラの一種であるデジタルカメラに具体化した一実施形態を図１〜図１０に基づいて説明する。
図１はデジタルカメラの斜視図、図２はその背面図である。図１に示すように、本実施形態のデジタルカメラ（以下、単に「カメラ１１」という）は、略直方体形状をなすカメラ本体１２を有している。カメラ本体１２の前面（正面）略中央部には撮像レンズ部１３を内装した伸縮自在な鏡筒１３ａが設けられている。また、カメラ本体１２の前面において、鏡筒１３ａよりも上側となる二位置にはフラッシュ１４、合焦動作時に赤外線等を被写体に向けて照射するための照射窓部１５及びカメラ１１を三脚（図示せず）などで立ててセルフ撮影を行うときに点滅するセルフＬＥＤ１６が設けられている。
【００１８】
また、カメラ本体１２の上面には左寄りの二位置に電源スイッチ１７及びレリーズスイッチ１８が設けられ、略中央寄りの位置にスピーカ１９が設けられている。電源スイッチ１７は、カメラ１１を電源オン状態とするときに撮像者により押し下げ操作されるものである。レリーズスイッチ１８はカメラ１１に撮像動作を開始させるときに撮像者により押し下げ操作（すなわち、オン操作）される操作ボタンである。
【００１９】
一方、図２に示すように、カメラ本体１２の背面側には、矩形状をなすモニタ２０が設けられている。モニタ２０は、一例として液晶表示装置（Liquid Crystal Display）（ＬＣＤ）により構成されている。そして、モニタ２０の上側右寄りの位置には撮影モードと再生モードとの間で切り換え可能なモード選択スイッチ２１が設けられている。また、カメラ本体１２の背面におけるモニタ２０の右上位置には、主として撮像レンズ部１３をズームアップ又はズームダウンさせるときに操作されるズームボタン２２が設けられている。ズームボタン２２の下側位置には、主としてモニタ２０にメニュー画面を表示させるときに操作されるメニューボタン２３が設けられている。また、メニューボタン２３の下方には、撮影モードにおいて、「通常モード」から、第３者に撮影をお願いする際に用いられる「お願いモード」に切り換えるために操作するお願いボタン２４が設けられている。お願いボタン２４が操作されると、カメラ１１はお願いモードに設定される。なお、本実施形態では、通常モードが第１のモードに相当し、お願いモードが第２のモードに相当する。
【００２０】
お願いボタン２４の下側には、上下左右の４方向を含む複数方向の選択操作が可能なセレクトボタン２５（選択ボタン）が設けられ、その中央部には決定ボタン２６（ＯＫボタン）が設けられている。セレクトボタン２５は、主としてメニュー画面における項目の選択や設定画面の切り替え及び設定の変更を行う際に操作される。決定ボタン２６は、メニュー画面や設定画面で選択された項目を確定（決定）する際に操作されたり、カメラ１１による撮影の直後にモニタ２０の画面２０ａに表示される確認用の撮影画像（以下、「フリーズ画ＦＩ」という）（図７参照）をユーザーが確認した後に操作されたりする。なお、本実施形態では、モニタ２０により表示手段が構成される。また、フリーズ画ＦＩが確認画像に相当する。
【００２１】
カメラ１１では撮影モードにおいてモード選択スイッチ２１が操作されて再生モードに切り換わると、直近に撮影した画像がモニタ２０に表示され、セレクトボタン２５を操作することでその操作方向に応じた方向へ画像が一枚ずつ切り換わるようになっている。カメラ１１では撮影直後にモニタ２０に表示されるフリーズ画ＦＩは、一定時間経過後にスルー画の表示へ切り換わる。
【００２２】
次に、本実施形態のカメラ１１における回路構成を図３に示すブロック図に基づき説明する。
図３に示すように、カメラ１１は各種動作を統括的に制御するＭＰＵ（Micro Processing Unit）などからなるエンジン３０を備えている。また、カメラ１１は、撮像レンズ部１３のレンズ群により結像された被写体像を撮像するための撮像素子３１をカメラ本体１２内に有している。この撮像素子３１は、例えばＣＭＯＳ（Complementary Metal Oxide Semiconductor）イメージセンサ、又はＣＣＤ（Charge Coupled Device）イメージセンサからなり、その撮像面に結像した被写体像に対応した信号電荷を蓄積し、その蓄積した信号電荷を画素信号と呼ばれるアナログ信号として出力する。なお、撮像素子３１は、電源スイッチ１７が押し下げ操作された後において、レリーズスイッチ１８が押し下げ操作される前段階の待機モードにおいても、被写体の経時変化するスルー画像の画素信号を出力し得るように構成されている。
【００２３】
撮像レンズ部１３は、鏡筒１３ａ内に、撮影画角を変更するズームレンズ３２ａ、焦点を合わせるフォーカスレンズ３２ｂ、手ぶれ防止用レンズ３２ｃを備えている。そして、鏡筒１３ａ内には、絞り３３及びシャッタ３４が設けられている。本実施形態では、各レンズ３２ａ，３２ｂ，３２ｃ、絞り３３、シャッタ３４及び撮像素子３１等により、撮像手段が構成される。
【００２４】
エンジン３０には、撮像レンズ部１３、絞り３３及びシャッタ３４などに対して撮影条件を決めるための各種制御を行うため、カメラ本体１２に内蔵されたフォーカス制御回路３５、手ぶれ補正駆動回路３６、シャッタ制御回路３７、絞り制御回路３８及びズーム制御回路３９が接続されている。また、エンジン３０には、撮像レンズ部１３に設けられた手ぶれセンサ４０が接続されている。
【００２５】
ズームレンズ３２ａはズーム制御回路３９により制御される不図示のズーム用モータにより撮像レンズ部１３の光軸方向に沿って移動可能に接続されている。ズーム制御回路３９は、ズームレンズ３２ａを駆動して撮影画角を変更する。
【００２６】
フォーカスレンズ３２ｂはフォーカス制御回路３５により制御されるＡＦ用モータによって撮像レンズ部１３の光軸方向に沿って移動可能に構成されている。フォーカス制御回路３５は、フォーカスレンズ３２ｂを駆動して焦点を合わせる。
【００２７】
手ぶれ防止用レンズ３２ｃは手ぶれ補正駆動回路３６により制御される不図示のアクチュエータにより駆動される。手ぶれ補正駆動回路３６は、手ぶれ防止用レンズ３２ｃを駆動して手ぶれによる像揺れを補正して、ブレのない像を提供する。ここで、手ぶれセンサ４０は、撮影者の手ぶれによるカメラ１１の振動を検出し、その振動検出信号をエンジン３０に出力する。エンジン３０は、手ぶれセンサ４０により検出された振動を打ち消すように、手ぶれ補正駆動回路３６を作動させて手ぶれ防止用レンズ３２ｃを駆動し、手ぶれによる撮影画像のブレを打ち消し、ブレのない画像を撮像素子３１上に結像させる。
【００２８】
絞り３３は、絞り制御回路３８により駆動される不図示のアクチュエータにより駆動される。絞り制御回路３８は、絞り３３を駆動して撮像レンズ部１３を通過する光量を調整する。
【００２９】
シャッタ３４は、シャッタ制御回路３７により駆動される不図示のアクチュエータにより開閉可能に構成されている。シャッタ制御回路３７は、シャッタ３４を駆動して露光時間を制御する。
【００３０】
フラッシュ１４は、エンジン３０によってメインコンデンサの充電、キセノン管の点灯・消灯の制御がなされ、撮影時に発光（点灯）して被写体を照明する。フラッシュ１４は、撮影時の照明のための発光以外に、赤目軽減用の照明、撮影前の測光時にもエンジン３０に制御されて発光する。
【００３１】
また、エンジン３０には、撮像素子３１に接続された撮像制御回路４１及び映像回路４２が接続されている。撮像制御回路４１は、撮像素子３１を駆動して、露光時間制御、結像された像の電気信号への変換、変換した電気信号の出力等を制御する。
【００３２】
映像回路４２は、撮像素子３１の出力する電気信号を増幅し、デジタル信号に変換してエンジン３０に出力する。詳しくは、撮像素子３１の出力側に直列に接続されている映像回路４２は、ＡＦＥ（Analog Front End）部とＡ／Ｄ変換器とを有している。ＡＦＥ部は、撮像素子３１で光電変換されて出力されたアナログ信号からなる画素信号を所定のタイミングでサンプリング（相関二重サンプリング）して、例えばＩＳＯ感度に基づく所定の信号レベルとなるように増幅させる。Ａ／Ｄ変換器は、ＡＦＥ部から出力された増幅後の画素信号（アナログ信号）をデジタル信号に変換し、このデジタル画素信号をエンジン３０に出力する。
【００３３】
エンジン３０は、映像回路４２から入力したデジタル画素信号に対して、色補間処理、階調補正、ホワイトバランス処理及び輪郭補償等の画像処理を施すことにより所定の画像データを生成する。
【００３４】
さらに、エンジン３０には、バスを介して不揮発性メモリ４３及びバッファメモリ４４が接続されている。また、エンジン３０には、水準器４５、スピーカ１９、モニタ制御回路４６（ＬＣＤ駆動回路）、メモリ制御回路４７及び操作検出回路４８等が接続されている。
【００３５】
不揮発性メモリ４３には、エンジン３０を動作させるためにエンジン３０内のＣＰＵが実行するためのプログラムが記憶されている。本実施形態では、図８及び図９にフローチャートで示す電源ＯＮ時に実行される撮影モード処理のプログラム、及び図１０にフローチャートで示す撮影画像評価処理のプログラムなどが不揮発性メモリ４３に記憶されている。また、不揮発性メモリ４３には、お願いモードのときに撮影成功の旨・撮影失敗の旨をスピーカ１９から音声で報知するために予め用意された音声データ、及びモニタ２０にその旨を表示することで報知するために予め用意された表示データも記憶されている。
【００３６】
バッファメモリ４４は、撮影画像データを一時的に格納し、画像処理過程のデータ、画像処理後のデータ、画像圧縮後のデータ、さらにエンジン３０のその他の処理過程のデータの一時記憶に使用される。バッファメモリ４４は、一例としてＤＲＡＭ等からなる。
【００３７】
エンジン３０が画像処理部により生成した画像データは、バッファメモリ４４に一時記憶される。エンジン３０は、バッファメモリ４４に一時記憶した画像データをモニタ制御回路４６へ送り、モニタ制御回路４６はその画像データに基づくフリーズ画ＦＩをモニタ２０に表示させる。このフリーズ画ＦＩは撮影直後にモニタ２０に表示され、ユーザーが撮影直後に撮影結果を確認するための確認画像として使用される。このようにフリーズ画ＦＩは撮影結果の確認用なので、一定時間表示された後にスルー画に切り換わる。
【００３８】
その後、エンジン３０は、バッファメモリ４４から画像データを読出して、例えばＪＰＥＧ方式でデータ圧縮処理を行い、圧縮処理後の画像データを含む画像ファイルを生成する。そして、エンジン３０は、生成した画像ファイルをメモリ制御回路４７に接続された不図示のカードスロットを介してカメラ１１に着脱可能とされた記憶媒体であるメモリカード４９に記憶するようになっている。また、エンジン３０は、メモリカード４９から画像ファイルを読出して伸張処理を施した後の画像データをバッファメモリ４４に一時記憶させてモニタ制御回路４６を介してモニタ２０に再生画を表示させる。
【００３９】
水準器４５は、カメラ１１の水平に対する傾きを検出する。スピーカ１９は音声データに基づく音声を発音する。
モニタ制御回路４６は、エンジン３０より出力された表示データをモニタ２０に出力するとともに、モニタ２０の点灯、消灯、表示制御を行い、モニタ２０にフリーズ画ＦＩやスルー画等を表示させる。
【００４０】
メモリ制御回路４７は、メモリカード４９を挿抜可能な構造のスロットを有し、スロットに挿着されたメモリカード４９に撮影画像ファイルを転送・記憶したり、メモリカード４９に記憶されている画像ファイル等の情報を読み取り、エンジン３０に出力したりする機能を有している。
【００４１】
操作検出回路４８には、電源スイッチ１７、レリーズスイッチ１８、モード選択スイッチ２１、ズームボタン２２、メニューボタン２３、お願いボタン２４、セレクトボタン２５及び決定ボタン２６などの各種操作スイッチが接続されている（但し、図３では一部のスイッチ（ボタン）のみ図示）。操作検出回路４８は、ユーザーがカメラ１１のスイッチを操作すると、そのスイッチ操作を検出してその操作情報をエンジン３０に出力する。
【００４２】
エンジン３０内のＣＰＵは、不揮発性メモリ４３に記憶されたプログラムを実行してカメラ１１の動作を制御するとともに、撮影された画像の処理及び再生を行う。
エンジン３０は、電源スイッチ１７の操作に応答してカメラ１１の電源の投入（ＯＮ）／遮断（ＯＦＦ）を行う。また、エンジン３０は、電源ＯＮ状態の下で、ズームボタン２２の操作に応答してズーム制御回路３９を駆動してズームレンズ３２ａを移動させるズーミング動作を行わせ、フォーカス制御回路３５を駆動してフォーカスレンズ３２ｂを移動させるフォーカシング動作を行わせる。さらに、エンジン３０は、絞り制御回路３８及びシャッタ制御回路３７を駆動して絞り３３の調整及びシャッタ３４の開放時間調整を行うことにより露出制御を行う。
【００４３】
また、エンジン３０は、撮像制御回路４１を作動させて撮像素子３１（例えばＣＣＤ）の駆動を行い、映像回路４２が撮像素子３１から入力したアナログの画素信号をデジタル化して出力するデジタル画素信号の入力を行う。そして、エンジン３０は、デジタル画素信号を画像処理して生成した画像データをバッファメモリ４４に一時格納し、その画像データを圧縮処理して生成した画像ファイルをメモリ制御回路４７を介してメモリカード４９に記憶する。また、エンジン３０は、バッファメモリ４４に格納された撮影直後の画像データに基づくフリーズ画ＦＩや、メモリカード４９から読み出した画像ファイルを解凍してバッファメモリ４４に格納した画像データに基づく再生画を、モニタ制御回路４６を駆動してモニタ２０に表示させる。さらに、エンジン３０は、撮影準備段階の撮像素子３１から映像回路４２を介して入力し画像処理を経てバッファメモリ４４に格納した画像データに基づくスルー画を、モニタ制御回路４６を駆動してモニタ２０に表示させる。
【００４４】
エンジン３０は、撮影準備段階においてはシャッタ３４を開放し、撮像レンズ部１３を透過した光を撮像素子３１に結像させる。撮像素子３１に結像した被写体像はエンジン３０によって周期的に画像処理され、被写体を動画的にモニタ２０に映し出すことにより、モニタ２０にスルー画が表示される。
【００４５】
また、エンジン３０によって、画像のコントラストを検出し、フォーカスレンズ３２ｂを移動させ、最もコントラストの高いフォーカスレンズ位置を探索し、その位置にフォーカスレンズ３２ｂを移動させることによりオートフォーカス制御（ＡＦ制御）を行う。
【００４６】
また、エンジン３０は画像の輝度レベルを検出し、検出した輝度レベルから絞り３３とシャッタ３４のシャッタ速度を制御して自動露出制御（ＡＥ制御）を行う。
図４は、エンジン３０内のＣＰＵ（コンピュータ）がプログラムを実行することによりエンジン３０内に構築される機能構成を示す。図４に示すように、エンジン３０内のコンピュータＣは、制御部７１、画像処理部７２、表示制御部７３、画像評価部７４、判定部７５、点灯制御部７６、報知部７７、時間設定部７８、計時部７９及びモード設定部８０を備えている。
【００４７】
制御部７１は、各部を統括制御する。画像処理部７２は、入力した画素信号に前述のホワイトバランス等を含む画像処理を施して取得した画像データを基に画像ファイルを生成する画像ファイル生成機能を有している。
【００４８】
画像処理部７２は、撮像素子３１から映像回路４２（図３を参照）を介して入力した画素信号に基づいて各種の画像処理（ホワイトバランス処理等）を施して画像データを生成する画像処理を行う機能を有している。画像処理部７２は、フリーズ画ＦＩやスルー画などモニタ２０に表示される画像に、撮影が成功か失敗かを報知する文字列や、撮影を失敗した場合にその失敗内容を報知する文字列、さらに撮影条件情報などの文字列を重畳させる画像合成処理（文字列重畳処理）も行う。
【００４９】
表示制御部７３は、モニタ制御回路４６を介してモニタ２０にフリーズ画ＦＩや再生画、スルー画を表示させる表示制御を行う。撮影直後におけるフリーズ画ＦＩの表示時間の制御はこの表示制御部７３が行う。
【００５０】
画像評価部７４は、画像処理部７２により生成された画像データを解析して撮影画像を評価する機能を有している。画像評価部７４は複数種の評価項目について撮影画像を評価し、撮影画像が成功写真か失敗写真かを判定するための評価結果を出す。本例の画像評価部７４は、顔検出部７４Ａ、構図検出部７４Ｂ及びブレ検出部７４Ｃを有している。
【００５１】
顔検出部７４Ａは、画像中における人物の顔を検出する顔検出を行う。そして、顔検出部７４Ａは、検出した顔について、さらに瞳検出、顔向き検出、顔輪郭検出、表情検出（笑顔検出）などの顔に関する各種検出処理を行う。構図検出部７４Ｂは、撮影画像の構図を検出する構図検出を行う。構図検出としては、画像が水平である（つまり斜めになっていない）ことを検出する水平検出、撮影画像における人物の位置を検出する人位置検出、被写体（人物）のブレを検出するブレ検出などを行う。また、ブレ検出部７４Ｃは、画像のコントラストを検出し、その検出したコントラストの値に基づいて、手ぶれや被写体ブレなどを検出する。
【００５２】
そして、画像評価部７４は、顔と構図とブレに関する検出結果を用いて撮影画像を複数の評価項目毎に評価する。顔関係の評価項目として、「頭切れ」、「視線」、「目つぶり」、「表情（笑顔）」などがあり、構図関係の評価項目として、「水平」、「人位置」、「ブレ」などがあり、ブレ関係の評価項目として、手ぶれ、被写体ブレなどがある。なお、撮影時にレンズ前に指やストラップ等が位置して撮影されたＮＧも評価する。
【００５３】
次にこれら評価項目毎の評価方法について簡単に説明する。
「頭切れ」の評価は、顔輪郭検出結果から得られた顔の輪郭に基づき行われ、画像評価部７４は、顔の額の途中が画像の端に位置するなど顔の輪郭の上部が画像の端で切れている場合に、頭切れと評価する。
【００５４】
「視線」の評価は、瞳検出結果から得られた顔における瞳の位置と、顔向き検出結果から得られた顔の向きとに基づき行われる。画像評価部７４は、顔における瞳の位置が、顔が正面を向いたときの瞳の位置（瞳位置基準データ）に比べ左右上下斜め方向（８方向）のうちいずれか一方向へ所定値以上ずれていると、視線が正面を向いていない「よそ見」と評価する。また、画像評価部７４は、顔の向きが、顔が正面を向いたときの顔（顔向き基準データ）に比べ左右上下斜め方向（８方向）のうちいずれか一方向へ顔の向きが所定角度以上回転している場合も、顔の向きが正面を向いていない「よそ見」と評価する。そして、画像評価部７４は、瞳位置と顔向きとの両方の評価結果に基づいて総合的に「よそ見」を評価する。このため、例えば目つぶり時に瞳の位置を検出できなくても、顔の向きの検出結果に基づき視線（よそ見）の評価は可能となっている。
【００５５】
「目つぶり」の評価は、瞳検出結果から得られた顔における瞳の数に基づき行われ、１つの顔に瞳の数が２つなければ、画像評価部７４は目つぶりであると評価する。
「表情（笑顔）」の評価は、笑顔検出結果に基づき行われ、画像評価部７４は、笑顔が検出されている場合に「笑顔」と評価する。表情検出（笑顔検出）は、検出された顔における歯の有無及び口角の角度（上がり具合）など笑顔を特定可能な特徴量を抽出し、抽出した特徴量に基づき笑顔であるか否かを判定することにより行われる。
【００５６】
「水平」の評価は、レリーズスイッチ１８を全押しした撮影時における水準器４５の検出値に基づいて行われ、水準器４５の検出値が、水平を示す水平基準値から所定値（所定傾き角）以上ずれている場合に、画像評価部７４は水平でない（つまり斜めである）と評価する。
【００５７】
「人位置」の評価は、人検出結果に基づいて行われる。図６に示すように、撮影画像ＰＩの全画像領域において左右両端と下端とからそれぞれ内側へ所定幅の領域を含む略Ｕ字状のＮＧ領域ＮＡが予め設定されている。そして、画像評価部７４は、図６における二点鎖線で示すように検出された顔ＮＦがＮＧ領域ＮＡにかかっている場合に、人位置が不適切であると評価し、一方、図６における実線で示すように検出された顔ＧＦがＮＧ領域ＮＡにかかっていない場合（つまりＮＧ領域ＮＡよりも内側にある場合）に、人位置が適切であると評価する。もちろん、図６に示すＮＧ領域ＮＡは、一例であり、人位置が不適切と判定するのに適した領域を適宜設定できる。また、例えば撮影画像に対する顔のサイズ比に応じてＮＧ領域を変化させてもよい。
【００５８】
「ブレ」の評価は、撮影画像のコントラストに基づいて行われ、画像評価部７４は被写体（例えば検出された顔）のコントラストが所定の閾値より低い場合に、ブレと評価する。また、画像評価部７４は撮影画像のコントラストが全体的に所定の閾値より低い場合に、カメラブレと評価する。また、レンズ前に指やストラップが位置して撮影されたＮＧは、撮影画像中に極端にコントラストの低いもの（つまり極端にぼけているもの）があることをもって評価する。なお、本実施形態のカメラ１１は、ＡＦ機能を備えているので、お願いモードにおいて焦点がずれたことに起因する「ぼけ」は発生しないことを前提に「ぼけ」の評価は行っていないが、もちろん画像評価部７４が「ぼけ」の評価も行う構成としてもよい。
【００５９】
判定部７５は、各評価項目毎に画像評価部７４の評価結果がＯＫであるかＮＧであるかを判定する。本例の判定部７５は、各評価項目毎の判定結果の情報を保存しておくためのフラグを有している。そして、画像評価前に予めフラグをリセットし（値「０」）、評価項目毎の評価結果がＮＧであると、対応する評価項目のフラグに「１」をセットする。このため、全ての評価項目の評価を終えた後、判定部７５は、評価項目毎のフラグの全てが「０」であると、その撮影画像の撮影が成功であると判定し、一方、評価項目全てのフラグのうち１つでも「１」がセットされていると、その撮影画像の撮影が失敗（失敗写真）であると判定する。
【００６０】
点灯制御部７６は、判定部７５が撮影失敗と判定したときに、セルフＬＥＤ１６を点滅させる点灯制御を行う。このため、判定部７５が撮影成功と判定した場合は、セルフＬＥＤ１６は点滅や発光することなく消灯したままとなる。
【００６１】
報知部７７は、判定部７５の判定結果に応じた撮影成功の旨又は撮影失敗の旨をユーザーに報知する報知処理を行う。報知部７７による報知の方法には、スピーカ１９から音声を発音する報知と、モニタ２０への文字列の表示による報知とがある。図７は、（ａ）撮影成功時と、（ｂ）撮影失敗時とに、それぞれモニタ２０に表示されたフリーズ画ＦＩに、撮影成功の旨を報知する文字列情報と、撮影失敗の旨を報知する文字列情報とがそれぞれ重畳表示された例を示す。撮影成功の場合、報知部７７は、図７（ａ）に示すように、フリーズ画ＦＩに撮影成功の旨を示す文字列情報の一例として「正常に撮影されました。ありがとうございました。」を重畳表示させる。一方、撮影失敗の場合、報知部７７は、図７（ｂ）に示すように、フリーズ画ＦＩに撮影失敗の旨を示す文字列情報の一例として「撮影を失敗した可能性があります。」を重畳表示させるとともに、撮影失敗の内容を例えば「目つぶりＮＧ、表情ＮＧ、水平ＮＧ、人左下ずれ、ブレＮＧ」のように重畳表示する。これらの文字列情報の重畳表示は、報知部７７からの文字列情報重畳表示の指示に基づき画像処理部７２が重畳表示処理を実行することにより行われる。また、報知部７７は、図７（ａ）のような撮影成功時にはスピーカ１９から「正常に撮影されました。ありがとうございます。」と発音させ、図７（ｂ）のような撮影失敗時にはスピーカ１９から「撮影を失敗した可能性があります。」と発音させる。
【００６２】
時間設定部７８は、お願いモード時におけるフリーズ画ＦＩの表示保持時間を設定する機能を有している。本例のカメラ１１では、メニューボタン２３を操作してモニタ２０に表示されるメニューの中に、お願いモード用のフリーズ画の表示保持時間設定項目が用意されている。ユーザーはこの表示保持時間設定項目をセレクトボタン２５で選択し決定ボタン２６を操作すると表示される設定時間Ｔ２の数値を、セレクトボタン２５の操作で変更した後、決定ボタン２６を操作することにより設定時間Ｔ２の変更が可能になっている。
【００６３】
計時部７９は、フリーズ画ＦＩの表示開始からの経過時間、つまりフリーズ画ＦＩの表示保持時間を計時する機能を有する。計時部７９は、制御部７１からの計時開始の指示に基づきフリーズ画ＦＩの表示と同時に計時を開始し、時間設定部７８に設定された設定時間を計時し終わると、制御部７１に計時終了の旨を通知する。このフリーズ画ＦＩの表示保持時間を決める設定時間には、撮影モードにおける通常モード時の設定時間Ｔ１と、お願いモード時の設定時間Ｔ２とが用意されている。お願いモード時の設定時間Ｔ２は、通常モード時の設定時間Ｔ１よりも長い値が設定されている。設定時間Ｔ１は、例えば０．５〜２秒の範囲内の所定値（一例として約１秒）に設定されている。一方、設定時間Ｔ２は、例えば５〜２０秒の範囲内の所定値（一例として約１０秒）に設定されている。もちろん、これらの時間範囲に限定されることなく、Ｔ１＜Ｔ２を満たす適宜な時間を設定できる。
【００６４】
モード設定部８０は、モードを設定する機能を有する。モード選択スイッチ２１及びお願いボタン２４などのモード設定に関係するスイッチ操作に基づいて決まる現在のモードを設定する。モード設定部８０は、モード選択スイッチ２１の操作に応じて撮影モード又は再生モードを設定し、例えば撮影モードにおいては、お願いボタン２４の操作に基づくお願いモードや、それ以外の通常モード（自動撮影モード、マニュアル撮影モード等を含む）のモード設定を行う。画像評価部７４は、モード設定部８０に設定されたモードから、現在のモードがお願いモードであるか否かを把握可能である。さらにモード設定部８０は、お願いモードにおいて画像評価部７４の評価結果に基づき撮影成功と判定されると、フリーズ画ＦＩの表示後に、お願いモードから通常モードへ切り換えるモード切換え機能も有している。なお、本実施形態では、モード設定部８０によりモード管理手段が構成されている。
【００６５】
次にカメラ１１の電源ＯＮ時の処理について説明する。電源スイッチ１７が操作されてカメラ１１が電源ＯＮされると、エンジン３０内のＣＰＵ（コンピュータＣ）が図８及び図９にフローチャートで示す撮影モード処理のプログラムを実行する。また、エンジン３０内のＣＰＵは、撮影モード処理の中で図９にフローチャートで示す撮影画像評価のサブルーチンを実行する。
【００６６】
以下、電源ＯＮ時の撮影モード処理について、図８及び図９に示すフローチャートに従って説明する。ここで、電源ＯＮしてカメラ１１が起動したときには、カメラ１１は撮影モードにあり、撮影する場合はそのままレリーズ操作などの撮影操作をし、過去に撮影した画像をモニタ２０に再生させる場合は、モード選択スイッチ２１を操作してカメラ１１を再生モードにする。また、ユーザーが第３者にカメラ１１を渡して撮影をお願いするときには、事前にお願いボタン２４を操作し、カメラ１１をお願いモードに設定しておく。なお、図８〜図１０のフローチャートにおける各ステップの処理は全てエンジン３０内のコンピュータＣ（例えばＣＰＵ）が実行する。そのため、以下の各ステップの処理を説明する場合、その処理主体がエンジン３０内のコンピュータＣであることは省略する。
【００６７】
まずステップＳ１０では、システム初期化を行う。つまり、コンピュータＣは回路システムをリセットする。
次のステップＳ２０では、レンズ初期化を行う。つまり、コンピュータＣは、レンズ収納タイプのカメラ１１なので、レンズを撮影可能位置に繰り出し、フォーカスレンズ３２ｂ及びズームレンズ３２ａを、それぞれ焦点及びズームにおける所定の初期位置に移動するなどのレンズ初期化を行う。
【００６８】
ステップＳ３０では、撮像素子３１（ＣＣＤ）をＯＮさせる。すなわち、コンピュータＣが、撮像素子３１を起動し、ライブビュー動画撮影可能状態にする。
ステップＳ４０では、スルー画をモニタ２０に表示させる。すなわち、コンピュータＣは、モニタ２０を点灯させ、撮像素子３１が撮像する動画画像をモニタ２０に映し出す。
【００６９】
ステップＳ５０では、モードを確認する。すなわち、コンピュータＣは、モード選択スイッチ２１で選択されているモードが、撮影モードであるか再生モードであるかを確認する。
【００７０】
ステップＳ６０では、モードを判断する。すなわち、コンピュータＣは、確認したモードが撮影モードであるか再生モードであるかを判断する。現在設定されているモードが再生モードの場合は、ステップＳ３００に進んで、撮像素子３１（ＣＣＤ）をＯＦＦさせた後、再生モード処理（Ｓ３１０）へ移行する。一方、撮影モードであればステップＳ７０に進む。なお、再生モード処理（Ｓ３１０）では、メモリカード４９に格納された撮影済みの画像データに基づく画像をモニタ２０に表示させる再生処理を行う。再生モード処理（Ｓ３１０）において撮影モードに切り換えられた場合は、Ｓ３２０において撮像素子３１（ＣＣＤ）をＯＮし、ステップＳ５０に戻る。
【００７１】
ステップＳ７０では、レリーズ操作を検出したか否かを判断する。レリーズ操作が検出されなければステップＳ８０に進んで、電源がＯＮであるかＯＦＦであるかを判断する。すなわち、コンピュータＣは、電源スイッチ１７の操作を検出したか否かを判断する。そして、コンピュータＣは、電源スイッチ１７の操作を検出すれば電源をＯＦＦすべきと判断し、ステップＳ３３０に進んで電源をＯＦＦする。一方、コンピュータＣは、電源スイッチ１７の操作を検出しなければ電源ＯＮを維持すべきと判断し、ステップＳ５０に戻る。そして、コンピュータＣは、Ｓ７０でレリーズ操作を検出するまで、Ｓ５０〜Ｓ８０の各処理を繰り返しながら待機し、Ｓ７０において、レリーズ操作を検出すると、ステップＳ９０に進む。
【００７２】
ステップＳ９０では、自動露出制御（ＡＥ）を行う。
ステップＳ１００では、自動ホワイトバランス制御（ＡＷＢ）を行う。
ステップＳ１１０では、自動合焦点制御（ＡＦ）を行う。
【００７３】
ステップＳ１２０では、１コマ撮影する。
ステップＳ１３０では、撮影画像データをバッファメモリ４４に記憶する。
ステップＳ１４０では、お願いモードであるか否かを判断する。お願いモードでなければステップＳ１５０に進んで、フリーズ画を短時間表示する。詳しくは、コンピュータＣは、フリーズ画を表示し、計時部７９が計時するフリーズ画の表示保持時間が設定時間Ｔ１に達すると、フリーズ画の表示を終了し、ステップＳ１６０に進んでスルー画の表示に切り換える。一方、お願いモードであればステップＳ１７０に進む。
【００７４】
ステップＳ１７０では、撮影画像評価を行う。すなわち、コンピュータＣの画像評価部７４が、頭切れ、視線（よそ見）、目つぶり、表情、カメラ水平度、人位置、カメラブレ、被写体ブレなど各評価項目について撮影画像を評価する。
【００７５】
ここで、撮影画像評価の詳細な処理を図１０に基づいて説明する。なお、コンピュータＣは電源ＯＮ時に撮影画像評価用のフラグがリセットしている。そのため、本ルーチン実行前において評価項目毎の各フラグは全て「０」になっている。
【００７６】
図１０のステップＳ４１０では、コンピュータＣの顔検出部７４Ａが顔検出を行う。
次のステップＳ４２０では、頭切れ無しであるか否かを判断する。頭切れが有ればステップＳ４３０に進んで、頭切れＮＧを設定する（頭切れフラグ＝１）。頭切れ無しであればステップＳ４４０に進む。
【００７７】
ステップＳ４４０では、視線がＯＫである（つまり、よそ見をしていない）か否かを判断する。視線がＮＧ（よそ見）であればステップＳ４５０に進んで、視線ＮＧを設定する（視線フラグ＝１）。視線がＯＫであればステップＳ４６０に進む。
【００７８】
ステップＳ４６０では、目つぶり無しであるか否かを判断する。目つぶりが有りＮＧであればステップＳ４７０に進んで、目つぶりＮＧを設定する（目つぶりフラグ＝１）。目つぶりが無くＯＫであればステップＳ４８０に進む。
【００７９】
ステップＳ４８０では、表情がＯＫであるか否かを判断する。笑顔でなく表情がＮＧであればステップＳ４９０に進んで、表情ＮＧを設定する（表情フラグ＝１）。笑顔であって表情がＯＫであればステップＳ５００に進む。
【００８０】
次のステップＳ５００では、コンピュータＣの構図検出部７４Ｂが構図検出を行う。
ステップＳ５１０では、水平であるか否かを判断する。水平でなければステップＳ５２０に進んで、水平ＮＧを設定する（水平フラグ＝１）。水平であればステップＳ５３０に進む。
【００８１】
ステップＳ５３０では、人位置がＯＫであるか否かを判断する。人位置がＮＧであればステップＳ５４０に進んで、人位置ＮＧを設定する（人位置フラグ＝１）。人位置がＯＫであればステップＳ５５０に進む。
【００８２】
次のステップＳ５５０では、コンピュータＣのブレ検出部７４Ｃがブレ検出を行う。
ステップＳ５６０では、ブレ無しであるか否かを判断する。ブレ有りであればステップＳ５７０に進んで、ブレＮＧを設定する（ブレフラグ＝１）。ブレ無しであれば当該ルーチンを終了し、撮影モード処理（図９）に戻る。
【００８３】
図９におけるステップＳ１８０では、評価の結果、画像がＯＫ（撮影成功）であるか否かを判断する。すなわち、コンピュータＣは、評価項目毎のフラグの全てが「０」であるか否かを判断する。全てのフラグが「０」であれば画像がＯＫであると判断し、フラグのうち一つでも「１」があると、画像がＯＫではない（つまり撮影失敗）と判断する。画像がＯＫである場合はステップＳ１９０に進み、画像がＯＫでない場合はステップＳ２３０に進む。
【００８４】
ステップＳ１９０では、撮影成功で終了した旨を表示・発音で報知する。
ステップＳ２００では、フリーズ画を短時間表示する。すなわち、コンピュータＣの表示制御部７３が、モニタ２０にフリーズ画を表示させるとともにこの表示開始と同時に計時部７９が時間設定部７８に設定されている設定時間Ｔ１の計時を開始し、この設定時間Ｔ１の計時を終えるまで、フリーズ画の表示を保持する。
【００８５】
本例では、Ｓ１９０とＳ２００の両処理がほぼ同時に実行され、図７（ａ）に示すように、撮影画像のフリーズ画ＦＩがモニタ２０に表示されるとともに、フリーズ画ＦＩに重畳して「正常に撮影されました。ありがとうございます。」と文字表示され、さらにスピーカ１９から同様の言葉が発音される。もちろん、撮影成功の旨の報知は、表示と発音のうち一方のみでもよい。また、撮影成功の旨の報知終了後、フリーズ画ＦＩを表示したり、逆に、フリーズ画ＦＩの表示終了後、撮影成功の報知をしてもよい。なお、撮影成功の場合は、図５（ａ）に示すように、セルフＬＥＤ１６は点滅しない。このため、被写体人物８２（例えばユーザー）は、セルフＬＥＤ１６が点滅しないことをもって、撮影をお願いした撮影者８１（例えば第３者）による撮影が成功であったことが分かる。
【００８６】
ステップＳ２１０では、撮像素子３１をライブビュー動画撮影可能状態にしてスルー画を表示する。
ステップＳ２２０では、お願いモードから通常モードへ切り換える。
【００８７】
一方、ステップＳ１８０で画像がＯＫでない場合（失敗写真の場合）は、ステップＳ２３０以降の処理が行われる。
ステップＳ２３０では、画像がＮＧ（失敗写真）と判定されると、セルフＬＥＤ１６を点滅させる。これにより、図５（ｂ）に示すように、撮影失敗時には、セルフＬＥＤ１６の点滅によって、撮影をお願いした撮影者８１（例えば第３者）による撮影が失敗したことを、被写体人物８２は知ることができる。
【００８８】
ステップＳ２４０では、フリーズ画をモニタ２０に表示する。
ステップＳ２５０では、撮影失敗の旨を報知する。本例では、コンピュータＣが、写真がＮＧである旨をモニタ２０への表示とスピーカ１９からの発音とにより報知するとともに、ＮＧ部分をモニタ２０に表示する。
【００８９】
本例では、図７（ｂ）に示すように、撮影画像のフリーズ画ＦＩがモニタ２０に表示されるとともに、フリーズ画ＦＩに重畳して「撮影を失敗した可能性があります。」と文字表示され、さらにスピーカ１９から同様の言葉が発音される。さらに、図７（ｂ）に示す例では、ＮＧ部分として、「目つぶりＮＧ、表情ＮＧ、水平ＮＧ、人左下ずれ、ブレＮＧ」などの文字列がフリーズ画ＦＩに重畳してモニタ２０に表示される。もちろん、撮影成功の旨の報知は、表示と発音のうち一方のみでもよい。また、撮影失敗の旨の報知終了後、フリーズ画ＦＩを表示したり、逆に、フリーズ画ＦＩの表示終了後、撮影失敗の報知をしてもよい。
【００９０】
ステップＳ２６０では、確認ＯＫであるか否かを判断する。つまり、ユーザーがフリーズ画ＦＩを確認した後に決定ボタン２６を操作したか否かを判断する。決定ボタン２６の操作がなく確認ＯＫの旨を受付けていなければステップＳ２７０に進み、決定ボタン２６の操作を検出して確認ＯＫであればステップＳ２８０に進む。
【００９１】
ステップＳ２７０では、設定時間Ｔ２を経過したか否かを判断する。すなわち、コンピュータＣの計時部７９は、フリーズ画ＦＩの表示開始時からの経過時間を計時しており、コンピュータＣの表示制御部７３は、計時部７９の計時時間が設定時間Ｔ２に達したか否かを判断する。経過時間が設定時間Ｔ２に達するまでＳ２６０及びＳ２７０の各処理を繰り返し、決定ボタン２６が操作されて確認ＯＫと判断するか、設定時間Ｔ２を経過したと判断すると、ステップＳ２８０に進む。
【００９２】
ステップＳ２８０では、セルフＬＥＤ１６を消灯するとともに、スルー画を表示する。
よって、撮影失敗の場合、被写体人物８２は、セルフＬＥＤ１６の点滅によって、撮影をお願いした撮影者８１による写真撮影が失敗したことが分かり、そのときの撮影画像のフリーズ画ＦＩが通常撮影時の設定時間Ｔ１（例えば約１秒）に比べ十分長い設定時間Ｔ２（例えば約１０秒）の間保持される。このため、被写体人物８２は撮影者８１の所まで行ってカメラ１１を受け取り、そのモニタ２０のフリーズ画ＦＩを確認することができる。そして、フリーズ画ＦＩを確認した結果、撮影が失敗であることが分かると、被写体人物８２は撮影者８１に再度撮影をお願いすることができる。従来は、例えば撮影失敗を写真再生時に分かっても、そのときは既に撮影をお願いした第３者はその場所におらず、また違う第３者を探して撮影をお願いするか、失敗写真で諦めなければならない。
【００９３】
これに対して、本実施形態のカメラ１１では、撮影の失敗をセルフＬＥＤ１６の点滅により撮影時に分かり、さらに撮影直後にモニタ２０に確認用のフリーズ画ＦＩが長時間表示されるので、わざわざモード選択スイッチ２１を操作して再生モードに切り換えることなくフリーズ画ＦＩで確認できる。よって、被写体人物８２は、失敗写真であったかどうかをモニタ２０に表示されているフリーズ画ＦＩを見て確認できる。このため、失敗写真と分かれば、同じ撮影者８１にその場で再撮影をお願いすることができる。
【００９４】
そして、同じ撮影者８１による撮影の結果、今度は撮影が成功すれば、被写体人物８２はその撮影時にセルフＬＥＤ１６が点滅しないことをもって、撮影が成功したことが分かる。このとき、図９におけるＳ１８０で画像ＯＫと判断され、撮影者８１は撮影が成功したことを、モニタ２０における文字列表示とスピーカ１９からの音声の発音とにより分かる。この撮影成功時は、フリーズ画ＦＩの短時間表示（Ｓ２１０）の後、お願いモードから通常モードへ切り換えられる（Ｓ２２０）。
【００９５】
例えば撮影成功でもユーザーがお願いボタン２４を操作してお願いモードから通常モードへ手動で切り換えるまで、お願いモードが維持される構成であると、その後、ユーザー自身が撮影者となって撮影する場合にも、セルフＬＥＤ１６が点滅してしまい、無駄に電力が消費されてしまう。しかし、本実施形態では、撮影が成功すれば、お願いモードから通常モードへ自動で切り換えられるので、この種のセルフＬＥＤ１６の点灯による無駄な電力消費を抑えることができる。
【００９６】
以上詳述したようにこの第１実施形態によれば、以下の効果が得られる。
（１）お願いモードにおいて撮影が失敗した場合、フリーズ画ＦＩが通常モード時の設定時間Ｔ１よりも長い設定時間Ｔ２を経過するまで表示され続けるので、撮影をお願いした被写体人物８２が撮影者８１の所まで行ってモニタ２０を見るまでフリーズ画ＦＩの表示が保持される。このため、被写体人物８２は、撮影直後にモニタ２０に表示されるフリーズ画ＦＩを実際に見て写真の良否を確認できる。このため、撮影者８１がいるその場で再撮影をお願いすることができる。
【００９７】
（２）お願いモードでは撮影失敗のときにセルフＬＥＤ１６が点滅するので、被写体人物８２はその撮影が失敗したことを知ることができる。
（３）撮影失敗時にはモニタ２０に撮影失敗の旨も表示されるので、撮影を失敗したことを容易に判断できる。また、スピーカ１９から音声によっても撮影失敗の旨が報知されるので、撮影を失敗したことを一層容易に判断できる。
【００９８】
（４）モニタ２０には写真失敗内容も表示されるので、再撮影をお願いするときに、撮影者８１はその失敗原因に注意して再撮影できるので、再撮影時に同じ失敗を繰り返すことを回避し易くなる。
【００９９】
（５）カメラ１１に設けられているセルフＬＥＤ１６を利用するので、報知専用の発光手段をカメラ１１に別途設ける必要がない。
（６）お願いモードにおいて撮影が成功した場合、お願いモードから通常モードへ自動で切り換わるので、その後、ユーザー自身が撮影する際にセルフＬＥＤ１６が無駄に点灯することを防止でき、セルフＬＥＤ１６の点灯による無駄な電力消費を抑制することができる。
【０１００】
（７）撮影失敗時にセルフＬＥＤ１６を点滅させるので、撮影失敗より発生頻度の高い撮影成功時にセルフＬＥＤを点滅させる構成に比べ、セルフＬＥＤ１６の点滅頻度をより少なく抑えることができる。よって、セルフＬＥＤ１６の点滅による不要な電力消費を抑えることができる。
【０１０１】
前記実施形態は上記に限定されず、以下の態様に変更することもできる。
・点灯手段は、セルフＬＥＤ１６に限定されず、赤目軽減用ＬＥＤや、フラッシュ１４を利用してもよい。その他、カメラ本体１２に対して撮影レンズ側の面（前面）に設けられた他の点灯手段を利用してもよい。また、外付けのフラッシュを利用することもできる。但し、フラッシュの場合は、夜間撮影などの撮影時の発光に遅れて発光させる。これにより、被写体人物８２はフラッシュが２回発光したことをもって撮影の失敗を知ることができる。
【０１０２】
・点灯手段であるセルフＬＥＤ１６を点滅させたが、点灯手段を連続点灯させてもよい。連続点灯であっても、被写体人物８２は撮影失敗を撮影時に知ることができる。
・決定ボタン２６が操作されるまで点灯手段の点灯（点滅を含む）を継続したが、設定時間Ｔ２よりも短い所定時間Ｔ３だけ点灯した後に消灯する構成としてもよい。この構成であれば、撮影時に撮影失敗を把握できるうえ、点灯による消費電力を低く抑えることができ、次回充電までに撮影できる撮影枚数を多く確保できるうえ、予期せぬバッテリ切れなどを回避し易くなる。
【０１０３】
・第２のモードにおける撮影成功時の確認画像の表示時間である第３の表示時間を、通常モード時の第１の表示時間（実施形態における設定時間Ｔ１）と同じとしたが、設定時間Ｔ２より短かければ、第３の表示時間を第１の表示時間と異なる値に設定してもよい。
【０１０４】
・確認画像としてのフリーズ画ＦＩの表示時間を決める設定時間を設けたが、フリーズ画ＦＩを表示し続ける構成も採用できる。つまり、第１の表示時間（実施形態における設定時間Ｔ１）より長ければ第２の表示時間（実施形態における設定時間Ｔ２）として、無限の時間を設定してもよい。この場合、決定ボタン２６などの操作スイッチが操作されると、確認画像の表示を終了する構成にすればよい。
【０１０５】
・点灯手段を点灯し続けてもよい。この場合、決定ボタン２６などの操作スイッチを操作すれば点灯手段の点灯が終了する構成にすればよい。
・ユーザーがカメラ１１の操作スイッチを操作することにより、画像評価部７４が評価する評価項目を選択可能な機能を設けてもよい。
【０１０６】
・撮影失敗時に確認画像は通常どおり設定時間Ｔ１だけ表示し、撮影失敗の旨を点灯手段による点灯により被写体人物８２に知らせる構成も採用できる。
・撮影失敗時における点灯手段の点灯を廃止し、確認画像としてのフリーズ画ＦＩを設定時間Ｔ１より長い設定時間Ｔ２に亘り表示し続ける構成も採用できる。
【０１０７】
・お願いモードでは、撮影の成功・失敗に拘わらず、フリーズ画ＦＩの表示保持時間を常に設定時間Ｔ２としてもよい。
・モニタ２０の表示による報知や、スピーカ１９の音声による報知を廃止してもよい。この構成でも、お願いモード時に設定時間Ｔ２を経過するまで表示し続けるフリーズ画ＦＩを確認することはできる。
【０１０８】
・第２のモードとしてのお願いモードを廃止し、撮影時は常に評価手段による評価を行って、撮影失敗時にフリーズ画ＦＩの長時間（設定時間Ｔ２）の表示を行ってもよい。
・第２のモードとしてのお願いモードを廃止し、撮影時は常に評価手段による評価を行って、撮影失敗時に点灯手段の点灯によって撮影失敗の旨を報知する構成としてもよい。
【０１０９】
・撮影失敗時に点灯手段を点灯させず、撮影成功時に点灯手段を点灯させる構成も採用できる。この構成によっても、撮影時に撮影が失敗したことを被写体人物８２が知ることができる。さらに、撮影成功時と撮影失敗時とで、点灯手段の点灯態様を異ならせてもよい。例えば撮影成功時は点灯手段が一定時間に亘り点灯し続け、撮影失敗時は点灯手段が点滅する構成とする。この構成によっても、点灯手段の点灯態様の違いにより、被写体人物８２は撮影が成功したか失敗したかを知ることができる。
【０１１０】
・評価手段が評価する評価項目は１つだけもよい。
・電子カメラは、デジタルカメラに限定されず、ビデオカメラの他、カメラ機能を備えたＰＤＡ（Personal Digital Assistant）や携帯電話、携帯用ゲーム機などでもよい。
【符号の説明】
【０１１１】
１１…電子カメラとしてのカメラ、１２…カメラ本体、１３…撮像手段を構成する撮像レンズ部、１４…フラッシュ、１５…照射窓部、１６…点灯手段としてのセルフＬＥＤ、１７…電源スイッチ、１８…レリーズスイッチ、１９…スピーカ、２０…表示手段の一例としてのモニタ、２４…お願いボタン、２６…操作手段としての決定ボタン、３０…エンジン、３１…撮像手段を構成する撮像素子、３３…絞り、３４…シャッタ、３５…フォーカス制御回路、３６…手ぶれ補正駆動回路、３７…シャッタ制御回路、３８…絞り制御回路、３９…ズーム制御回路、４１…撮像制御回路、４２…映像回路、４３…不揮発性メモリ、４４…バッファメモリ、４５…水準器、４６…モニタ制御回路、４７…メモリ制御回路、４８…操作検出回路、７１…制御部、７２…画像処理部、７３…表示制御手段としての表示制御部、７４…評価手段としての画像評価部、７４Ａ…顔検出部、７４Ｂ…構図検出部、７４Ｃ…ブレ検出部、７５…判定部、７６…点灯制御手段としての点灯制御部、７７…報知部、７８…時間設定部、７９…計時部、８０…モード管理手段としてのモード設定部、８１…撮影者（第３者）、８２…被写体人物（ユーザー）、Ｃ…コンピュータ、Ｔ１…第１の表示時間としての設定時間、Ｔ２…第２の表示時間としての設定時間、ＰＩ…撮影画像、ＦＩ…フリーズ画、ＮＡ…ＮＧ領域。
【図１】
2011151614.tif 000003
【図２】
2011151614.tif 000004
【図３】
2011151614.tif 000005
【図４】
2011151614.tif 000006
【図５】
2011151614.tif 000007
【図６】
2011151614.tif 000008
【図７】
2011151614.tif 000009
【図８】
2011151614.tif 000010
【図９】
2011151614.tif 000011
【図１０】
2011151614.tif 000012